(57)【要約】【課題】外部から給電される記録装置において、動画撮影中に外部から給電停止された場合でも動画像ファイルを確実に保護する。【解決手段】デジタルムービーカメラ１は、ＵＳＢモバイル電源３２が接続された状態で、動画撮影操作が為された場合において、バッテリ３４の残量が不足していると、動画撮影を実行せず、バッテリ３４の残量不足のメッセージをＬＣＤ２０に表示する。従って、ＵＳＢモバイル電源３２が突然接続解除されたり、ＵＳＢモバイル電源３２が突然給電を停止することによって、デジタルムービーカメラ１が作動できずに起こりうる動画撮影ファイルの消失を避けることが出来る。【選択図】図１
2013135347.tif 000002
【特許請求の範囲】
【請求項１】
給電機器から給電された電力を受電する受電部を備え、バッテリ又は該給電機器から供給される電力に基づいて作動する記録装置であって、
前記バッテリの電圧を検出する検出手段と、
記録操作を検知する第１検知手段と、
前記記録操作に応じて記録処理を実行する記録手段と、
前記記録操作以外の所定操作を検知する第２検知手段と、
前記所定操作に応じて所定処理を実行する手段と、
前記給電機器から送電された電力の受電中に前記第２検知手段によって前記所定操作が検知された時は前記所定処理を実行する第１制御手段と、
前記給電機器から給電された電力の受電中に前記第１検知手段によって前記記録操作が検知された時、前記バッテリの電圧が所定閾値より小さければ前記記録処理を禁止する一方、前記第１検知手段によって前記記録操作を検知された時、前記バッテリの電圧が所定閾値以上であれば前記記録処理を実行する第２制御手段を備える、記録装置。
【請求項２】
前記第２制御手段は、前記給電機器から給電された電力の受電中に前記第１検知手段によって前記記録操作を検知された時、前記バッテリの電圧が所定閾値より小さければ、外部へ報知する報知手段を備えることを特徴とする、請求項１記載の記録装置。
【請求項３】
前記記録処理の実行中に前記検出手段によって検出された前記バッテリの電圧が所定閾値より小さければ、前記記録処理を停止する停止手段を更に備える、請求項１又は請求項２記載の撮影装置。
【請求項４】
前記記録処理は、記録手段に取得データをファイルとして記録すると共に該ファイルの管理情報を記録する処理を含むことを特徴とする、請求項１乃至３のいずれかに記載の記録装置。
【請求項５】
前記取得データは、撮影手段によって取得された撮影データであることを特徴とする請求項４記載の記録装置。
【請求項６】
給電機器から給電された電力を受電する受電部を備え、バッテリ又は該給電機器から供給される電力に基づいて作動する記録装置であって、
機器本体が前記給電機器から給電を受けている時の給電電圧を検出する第１電圧検出手段と、
前記バッテリの電圧を検出する第２電圧検出手段と、
前記第１電圧検出手段と第２電圧検出手段を制御する制御手段を備え、
前記制御手段は、前記機器本体が前記給電機器から給電を受けている時に第１電圧検出手段による前記給電電圧の検出及び前記第２電圧検出手段における前記バッテリの電圧の検出が実行されるように制御することを特徴とする、撮像装置。
【請求項７】
給電機器から給電された電力を受電する受電部を備え、バッテリ又は該給電機器から供給される電力に基づいて作動する記録装置のプロセッサに、
前記バッテリの電圧を検出する検出ステップと、
記録操作を検知する第１検知ステップと、
前記記録操作に応じて記録処理を実行する記録ステップと、
前記記録操作以外の所定操作を検知する第２検知ステップと、
前記所定操作に応じて所定処理を実行するステップと、
前記給電機器から送電された電力の受電中に前記第２検知ステップによって前記所定操作が検知された時は前記所定処理を実行する第１制御ステップと、
前記給電機器から給電された電力の受電中に前記第１検知ステップによって前記記録操作が検知された時、前記バッテリの電圧が所定閾値より小さければ前記記録処理を禁止する一方、前記第１検知ステップによって前記記録操作を検知された時、前記バッテリの電圧が所定閾値以上であれば前記記録処理を実行する第２制御ステップを備える、記録装置。
【発明の詳細な説明】
【技術分野】
【０００１】
本発明は、記録装置に関し、給電機器から給電された電力を受電する受電部を備え、給電機器から給電された電力又は該バッテリから供給される電力に基づいて作動する記録装置に関する。
【背景技術】
【０００２】
従来技術において、ＵＳＢから電力供給される情報機器であって、バッテリが過放電状態か否かを判断して、過放電状態と判断した場合は、接続された電力容量の小さな電源を介してバッテリを充電し、本体をバッテリで起動可能な電圧まで充電した後に、バッテリで本体を起動する情報機器が特許文献１に開示されている。
【特許文献１】特開２０１０−２０６９４８  しかしながら、特許文献１の情報機器では外部電源から供給された電力に基づいて、本体機器において記録処理などが実行されることが想定されていない。当然、記録処理の実行中に外部電源からの電力供給が停止してしまうことによりバッテリの充電が不十分であった時に該記録処理が継続出来ない状況になることの対策について、何ら講じられていない。
【発明の開示】
【発明が解決しようとする課題】
【０００３】
本発明は、上記の問題点を解決するもので、記録処理の実行中に外部電源からの電力供給が停止してしまうことにより記録処理に不具合が発生することを防止する記録装置を提供するものである。
【課題を解決するための手段】
【０００４】
本発明に係る記録装置は、給電機器から給電された電力を受電する受電部を備え、バッテリ又は該給電機器から供給される電力に基づいて作動する記録装置であって、バッテリの電圧を検出する検出手段と、記録操作を検知する第１検知手段と、記録操作に応じて記録処理を実行する記録手段と、記録操作以外の所定操作を検知する第２検知手段と、所定操作に応じて所定処理を実行する手段と、給電機器から送電された電力の受電中に第２検知手段によって所定操作が検知された時は所定処理を実行する第１制御手段と、給電機器から給電された電力の受電中に第１検知手段によって記録操作が検知された時、バッテリの電圧が所定閾値より小さければ記録処理を禁止する一方、第１検知手段によって記録操作を検知された時、バッテリの電圧が所定閾値以上であれば記録処理を実行する第２制御手段を備えることを特徴とする。
【０００５】
この記録装置によれば、給電機器から給電がストップしたとき、次の給電元となるバッテリの残量不足により記録処理が正常に行なわれないことを回避することが出来る。
【０００６】
本発明に係る記録装置は、給電機器から給電された電力を受電する受電部を備え、バッテリ又は該給電機器から供給される電力に基づいて作動する記録装置であって、機器本体が給電機器から給電を受けている時の給電電圧を検出する第１電圧検出手段と、バッテリの電圧を検出する第２電圧検出手段と、第１電圧検出手段と第２電圧検出手段を制御する制御手段を備え、記制御手段は、機器本体が給電機器から給電を受けている時に第１電圧検出手段による給電電圧の検出及び第２電圧検出手段におけるバッテリの電圧の検出が実行されるように制御することを特徴とする。
【０００７】
この記録装置によれば、給電機器から給電を受けている時にもバッテリの電圧の検出が
実行されるため、給電機器からの給電がストップしたとき、次の給電元となるバッテリの残量不足を、バッテリが給電元として給電を開始する前に認識することが出来る。
【発明の効果】
【０００８】
本発明の記録装置によれば、記録処理の実行中に外部電源からの電力供給が停止してしまうことにより記録処理に不具合が発生することを防止することが出来る。
【図面の簡単な説明】
【０００９】
【図１】本実施例に係るデジタルムービーカメラ１の回路構成の一部を示すブロック図である。
【図２】本実施例に係るＵＳＢモバイル電源３２の内部電圧及び出力電圧と時間との関係を示した図である。
【図３】本実施例に係るデジタルムービーカメラ１で制御される手続の一例を示すフローチャートである。
【図４】本実施例に係るデジタルムービーカメラ１で制御される手続の他の一例を示すフローチャートである。
【発明を実施するための最良の形態】
【００１０】
以下、本発明の記録装置の一実施例として、デジタルムービーカメラ１に実施した形態につき、図面に沿って具体的に説明する。
【００１１】
図１は、本実施例のデジタルムービーカメラ１のブロック図を示している。レンズユニット１２は、光学レンズを含むレンズ群及び絞りを含み、ＣＭＯＳイメージャユニット及び信号処理回路を含む内部回路ユニット１４に接続されている。主要被写体の１フレーム分の光学像はレンズユニット１２を通して内部回路ユニット１４に取り込まれる。レンズユニット１２、内部回路ユニット１４及びＳＤＲAM１８は、ＣＰＵ１６と接続される。
【００１２】
内部回路ユニット１４内では、取り込んだ主要被写体の光学像に対して様々な処理を施し、Ｙ、Ｕ、Ｖ形式の１フレーム分のデジタル画像信号に変換する。変換されたデジタル画像信号はＳＤＲＡＭ１８に格納される。このように、主要被写体の光学像が様々な処理を経てＳＤＲＡＭ１８に格納されるまでの処理を、撮像処理と定義する。
【００１３】
ＳＤＲＡＭ１８に格納されたデジタル画像信号は、ＣＰＵ１６の制御によりＬＣＤ２０へ出力可能である。ＬＣＤ２０は、図示しないＬＣＤドライバを含み、ＬＣＤドライバはＹ、Ｕ、Ｖ信号をＲＧＢ信号に変換して、ＬＣＤ２０にデジタル画像信号に基づく画像を表示させることが出来る。このように、ＳＤＲＡＭ１８に格納されたデジタル画像信号が、ＬＣＤ２０に画像として表示されるまでの処理を、表示処理と定義する。
【００１４】
また、撮像処理及び表示処理が順次繰り返して行われることによって、ＬＣＤ２０にスルー画像が表示される。なお、本実施例では、モニタとしてＬＣＤ２０を採用した形態を説明するが、有機ＥＬなどの表示デバイスを採用しても良い。
【００１５】
操作部２２は、メニュー操作部２２ａ、レリーズ操作部２２ｂ及びモード選択操作部２２ｃを含み、カーソルキーなどが含まれても良い。
【００１６】
メニュー操作部２２ａが操作されると、ＬＣＤ２０上にメニュー画面が表示される。使用者はメニュー画面に表示されている複数の項目の中から、所望の項目を選択する。選択された所望の項目に対して、所望の値を設定する。例えば、所望の項目として、“画像サイズ”が選択されると、ＬＣＤ２０上にアスペクト比（４：３や１６：９など）と画像サイズ（４Ｍや３Ｍなど）が複数表示され、使用者は所望の値を選択することにより、該値
が画像サイズとして設定される。
【００１７】
使用者によってモード選択操作部２２ｃが操作されることによって、デジタルムービーカメラ１が備える複数のモードの一部である静止画撮影モード、動画撮影モードおよび再生モードのいずれか１つのモードを選択することが出来る。
【００１８】
モード選択操作部２２ｃが操作されることによって静止画撮影モードが選択されると、ＬＣＤ２０にスルー画像が表示される。ＬＣＤ２０にスルー画像が表示されている状態で、使用者によってレリーズ操作部２２ｂが操作されると、静止画撮影用の解像度に基づいて、上述した撮像処理が１回実行される。
【００１９】
ＣＰＵ１６はメモリカードインタフェース２４と接続され、メモリカード２６はメモリカードインタフェース２４と接続されており、レリーズ操作部２２ｂの操作に応じて、メモリカードインタフェース２４を制御して、メモリカード２６上に静止画像ファイルをオープンし、メモリカード２６上に静止画像ファイルを作成するための管理情報を格納するための静止画像テンポラリファイルが作成される。ＳＤＲＡＭ１８に格納されたデジタル画像信号は、ＣＰＵ１６によってＪＰＥＧ方式で圧縮処理が施され、１フレーム分の静止画像圧縮データとしてＳＤＲＡＭ１８上に格納される。
【００２０】
そして、ＣＰＵ１６は、１フレーム分の静止画像圧縮データを静止画像ファイルへ格納し、静止画像テンポラリファイルに格納されている管理情報を用いて静止画像ファイルをクローズすることによって静止画像ファイルがメモリカード上２６に作成される。
【００２１】
モード選択操作部２２ｃによって動画撮影モードが選択されると、ＬＣＤ２０にスルー画像が表示される。
【００２２】
ＬＣＤ２０にスルー画像が表示されている状態で、使用者によってレリーズ操作部２２ｂが操作されることによって動画撮影の開始指示がされると、動画撮影用の解像度に基づいて、上述した撮像処理が順次実行される。レリーズ操作部２２の操作に応じてＣＰＵ１６はメモリカードインタフェース２４を制御して、メモリカード２６上に動画像ファイルをオープンし、メモリカード２６上に動画像テンポラリファイルを作成する。動画像テンポラリファイルには、動画像ファイルを作成するための管理情報である、圧縮動画像データの書き込み情報や、圧縮音声データが存在する場合には圧縮動画像データと圧縮音声データの同期情報、日付などの情報が格納されている。ＳＤＲＡＭ１８に格納された複数のデジタル画像信号は、ＣＰＵ１６によってＭＰＥＧ４方式で圧縮処理が施され、再びＳＤＲＡＭ１８に圧縮動画像データが格納される。そして、圧縮動画像データはメモリカード２６の動画像ファイルに順次格納される。
【００２３】
動画撮影の終了指示がされるまで、上述した処理を繰り返す。動画撮影の終了指示として、レリーズ操作部２２ｂが操作されること、又はバッテリ３４の残量不足に起因したＣＰＵ１６自身による終了指示が挙げられる。動画撮影の終了指示がされるとＣＰＵ１６は動画撮影を終了させるべく、動画像テンポラリファイルに格納されている動画像ファイルを作成するための管理情報を用いて動画像ファイルに対して動画撮影終了処理を実行する。具体的には、圧縮動画像データと圧縮音声データが再生時に同期出来るようにしたり、動画像ファイルの記録時間が記録されたり、ヘッダ情報を更新したりする。この動画撮影終了処理が実行されることにより、動画像ファイルが正常にメモリカード２６に記録され、再生時にＣＰＵ１６が動画像ファイルを認識出来るようになる。
【００２４】
モード選択操作部２２ｃによって、再生モードが選択され、所望の静止画像ファイル又は動画像ファイルが選択されると、ＣＰＵ１６はメモリカードインタフェース２４を制御
して、メモリカード２６から静止画像ファイル又は動画像ファイルを再生する。再生処理としては、選択されたファイルに伸長処理を施して、ＬＣＤ２０に画像として表示する処理が含まれる。
【００２５】
さて、デジタルムービーカメラ１は電圧制御回路２８を備える。電圧制御回路２８は、外部電源端子と兼用されるＵＳＢ端子３０を介してＵＳＢモバイル電源３２と接続される。また、電圧制御回路３４はバッテリ３４と接続される。電源制御回路２８はスイッチＳＷ１を備えており、スイッチＳＷ１は、デジタルムービーカメラ１が作動する際の電力供給先としてＵＳＢモバイル電源３２バッテリ３４との間で切り換えられる。
【００２６】
デジタルムービーカメラ１は、ＵＳＢモバイル電源３２と接続されている時は、ＵＳＢモバイル電源３２から供給される電力を用いてバッテリ３４を充電しつつＵＳＢモバイル電源３２から供給される電力を用いて作動する。ＵＳＢモバイル電源３２と接続されていない、又はＵＳＢモバイル電源３２から給電が行なわれていない時は、バッテリ３４から供給される電力で作動する。
【００２７】
なお、バッテリ３４が満充電された時や、ＵＳＢモバイル電源３２からの電力がストップされると、ＵＳＢモバイル電源３２とバッテリ３４との接続は解除される。
【００２８】
ＣＰＵ１６はまた、電源制御回路２８とバッテリ３４と接続され、ＵＳＢモバイル電源３２から供給される電力における電圧と、バッテリ３４の残量に対応する電圧を検出出来る構成となっている。
【００２９】
なお、本実施例では、デジタルムービーカメラ１の電源供給先としてＵＳＢモバイル電源３２を採用したが、ＡＣアダプタ端子にＡＣアダプタを接続することにより、電源を供給しても良い。この際、突然ＡＣアダプタの接続が解除されるなどのアクシデントに対して本実施例を適用することにより、記録処理に不具合が発生することを防止することが出来る。
【００３０】
図２（Ａ） に、ＵＳＢモバイル電源３２のデジタルムービーカメラ１への出力電圧の特性を、図２（Ｂ）にＵＳＢモバイル電源３２の内部電圧の特性を示す。
【００３１】
図２（Ａ）に示すように、ＵＳＢモバイル電源３２の出力電圧は、デジタルムービーカメラ１へ電力を供給し続けると、ｔ１時点で出力電圧が０となり、突然給電が行われなくなる。これは、図２（Ｂ）に示すように、デジタルムービーカメラ１へ電力を供給し続けると、ＵＳＢモバイル電源３２の内部電圧が、ｔ１時点で５Ｖを出力するための既定の電圧を下回るためである。しかしながら、ＣＰＵ１６は、ＵＳＢモバイル電源３２の出力電圧を検出することは出来るが、ＵＳＢモバイル電源３２の内部電圧は検出出来ないため、突然給電が行われなくなることに対する対策が必要となる。
【００３２】
従って、デジタルムービーカメラ１とＵＳＢモバイル電源３２との接続が解除される、又は突然デジタルムービーカメラ１に給電が行われなくなることによって、バッテリ３４からデジタルムービーカメラ１に給電が行なわれるよう給電元が切り換えられた時、バッテリ３４の残量が不足していると、デジタルムービーカメラ１の作動を継続することが出来なくなる不具合が発生する。具体的事例を挙げると、動画撮影中に、ＵＳＢモバイル電源３２が接続解除され、又は突然給電が行われなくなり、かつバッテリ３４の残量が不足している場合、デジタルムービーカメラ１を作動するための電力が足りず、メモリカード２６上の動画像ファイルが失われる恐れがある。つまり、正常に動画撮影終了処理を実行されず、ＣＰＵ１６は動画像ファイルを認識できなくなる恐れがある。
【００３３】
従って、本実施例のデジタルムービーカメラ１では、上述した状態を避けるために、ＣＰＵ１６は以下の制御を実行する。
（１）ＵＳＢモバイル電源３２から電力供給を受けている場合であって、かつバッテリ３４の残量が不足している場合、動画撮影以外の動作（再生、メニュー設定など）は可能とする。
（２）ＵＳＢモバイル電源３２から電力供給を受けている場合であって、かつバッテリ３４の残量が不足している場合、レリーズボタン２２ｂが操作されることによって、動画撮影開始操作が行なわれると、バッテリ３４の残量が不足していることを示すメッセージ又はアイコンや記号をＬＣＤ２０に表示し、動画撮影は行なわない。
（３）ＵＳＢモバイル電源３２から電力供給を受けている場合であって、かつバッテリ３４の残量が不足している場合、バッテリ３４の電圧が閾値を上回った時点で動画撮影を可能とする。
【００３４】
（４）動画撮影中にバッテリ３４の残量が減少した場合、ＵＳＢモバイル電源３２が接続されていても動画撮影終了処理を行う。
【００３５】
なお、（４）において動画撮影中にバッテリ３４の残量が減少してしまう理由としては、光学レンズを移動させたり、静止画像の撮影などの操作が頻繁に行なわれることによって、ＵＳＢモバイル電源３２から供給される電力よりも消費電力が高くなり、バッテリ３４の残量が減少してしまうことが考えられる。
【００３６】
次に、図３及び図４に示すフローチャートを用いて、上述した（１）〜（４）を含めたＣＰＵ１４が実行する手続について説明する。これらの処理は、ＣＰＵ１４が図示しないフラッシュメモリに格納されているプログラムを実行することにより実現される手続である。
【００３７】
電源がオンされると、ステップＳ１において、外部からの給電が行われているか否かを判別する。ステップＳ１において、ＹＥＳと判別される、つまりＵＳＢモバイル電源３２から給電されている場合、ステップＳ２へ進み、電力の供給元フラグを立てる（Ｂａｔｔ＿ＥＸＴ←１）。次にステップＳ３へ進み、バッテリ３４が装填されているか否かを判別する。ステップＳ３においてＹＥＳと判別されるとステップＳ５へ進み、ＮＯと判別されると、ステップＳ４へ進む。ステップＳ４では、バッテリフラグを下げて（ＢＡＴ←０）ステップＳ２５へ進む。
【００３８】
ステップＳ５では、バッテリ３４が十分充電されているか否かを判別する。つまり、バッテリ３４の電圧が所定値を満たしたか否かを判別する。ＹＥＳと判別されると、ステップＳ７へ進み、バッテリフラグを立てる（ＢＡＴ←１）。ステップＳ５においてＮＯと判別されると、ステップＳ９へ進み、バッテリ３４の充電を開始させる。次にステップＳ１１へ進み、バッテリ３４の残量が不足しているか否かを判別する。つまり、バッテリ３４の電圧が閾値を下回っているか否かを判別する。
【００３９】
ステップＳ１１においてバッテリ３４の残量が不足していると判別された場合は、ステップＳ１３へ進み、バッテリフラグを下げる（ＢＡＴ←０）。一方、ステップＳ１１においてバッテリ３４の残量が不足していないと判断された場合は、ステップＳ１５へ進みバッテリフラグを立てる（ＢＡＴ←１）。
【００４０】
ステップＳ１３及びステップＳ１５の処理後は、ステップＳ１７へ進み、バッテリ３４充電が完了したか否か、つまりバッテリ３４の電圧が所定値を満たしたか否かを判別し、ＹＥＳと判別されるとステップＳ１９へ進んで、電源制御回路２８を制御してバッテリ３４への充電を停止させる。
【００４１】
そして、ステップＳ１７でＮＯと判別された場合、及びステップＳ７の処理後は、ステップＳ２５へ進む。
【００４２】
ステップＳ１において、ＮＯと判別される、つまりＵＳＢモバイル電源３２から給電されていない場合、ステップＳ２１へ進み、電力の供給元フラグを下げる（Ｂａｔｔ＿ＥＸＴ←０）。外部からの給電が行われていないと判別される場合としては、本実施例ではＵＳＢモバイル電源３２から給電されていない場合、つまり、ＵＳＢモバイル電源３２とデジタルムービーカメラ１とが接続されていない、若しくはＵＳＢモバイル電源３２の供給電力が停止していることが挙げられる。
【００４３】
次にステップＳ２３へ進み、バッテリ３４の残量が不足しているか否かを判別する。ＹＥＳと判別されると、本手続は終了される。
【００４４】
ステップＳ２３においてＮＯと判別されるとステップＳ２５へ進み、操作キースキャン処理を行い操作部２２に対して操作があったか否かを判別する。ステップＳ２５において、ＮＯ、つまり操作無しと判別されると、ステップＳ１へ戻る。ステップＳ２５において、ＹＥＳ、つまり操作有りと判別されると、ステップＳ２７へ進み、動作モードの判別を行う。
【００４５】
ここで、モード選択操作部２２ｃによって動画撮影モードが選択されていた場合、ステップＳ２７において、動画撮影モードであると判別されてステップＳ２９へ進む。一方、モード選択操作部２２ｃによって静止画撮影モードや再生モードが選択されていたり、メニュー操作部２２ａが操作されていた場合はステップＳ３１へ進み、選択されているモードに対応する処理を実行し、ステップＳ１へ戻る。ここで、選択されているモードの処理についての説明は省略する。
【００４６】
ステップＳ２９では、レリーズボタン２２ｂが操作されることによって動画撮影の開始指示がなされたか否かを判別する。ＮＯと判別されるとステップＳ４１へ進み、ＹＥＳと判別されると、ステップＳ３３へ進む。ステップＳ３３では、供給元フラグが下がっているか否かを判別する（Ｂａｔｔ＿ＥＸＴ＝０？）。ステップＳ３３においてＹＥＳと判別される、ＵＳＢモバイル電源３２から給電されていない場合、ステップＳ３７へ進み、動画撮影を開始する。これは、ステップＳ２３において、バッテリ３４の残量が不足している場合には、本手続が終了しているため、ステップＳ３７へ処理が進んでいる場合は、バッテリ３４の残量が不足していないから動画撮影を行うことが出来るのである。
【００４７】
ステップＳ３３においてＮＯと判別される、つまりＵＳＢモバイル電源３２から給電されている場合は、ステップＳ３５へ進み、バッテリフラグが下がっているか否かを判別する（ＢＡＴ＝０？）。ここで、ＮＯと判別される、つまりバッテリ３４の残量が大きい場合はステップＳ３７へ進み、動画撮影を開始し、ステップＳ４１へ進む。
【００４８】
ステップＳ３５において、ＹＥＳと判別される、つまりバッテリ３４の残量が不足している場合は、ステップＳ３９に進み、バッテリ３４の残容量が不足していることを示すメッセージ又はアイコンや記号をＬＣＤ２０に表示するなどして、使用者に警告をしてステップＳ４１へ進む。
【００４９】
このように、ＵＳＢモバイル電源３２から給電されており、かつバッテリ３４の残量が不足しているときは、バッテリ３４の残量に関する警告を行い、動画撮影は開始しない。
【００５０】
ステップＳ４１では、現在の状況が動画撮影中であるか否かを判別する。ステップＳ４
１においてＮＯと判別されるとステップＳ１へ戻り、ＹＥＳと判別されるとステップＳ４３へ進む。ステップＳ４３では、供給元フラグが下がっているか否かを判別する（Ｂａｔｔ＿ＥＸＴ＝０？）。ステップＳ４３においてＹＥＳと判別される、つまりＵＳＢモバイル電源３２から給電されていない場合は、ステップＳ４５へ進み、バッテリフラグが下がっているか否かを判別する（ＢＡＴ＝０？）。
【００５１】
ステップＳ４５において、ＹＥＳと判別される、つまりバッテリ３４の残量が不足している場合はステップＳ４７へ進み、動画撮影を終了させて、ステップＳ１へ戻る。
【００５２】
ステップＳ４３でＹＥＳと判別された場合及びステップＳ４５においてＮＯと判別された場合、ステップＳ４９へ進み、レリーズボタン２２ｂが操作されることにより、動画撮影の終了操作が為されたか否かを判別する。ステップＳ４９においてＮＯと判別されるとステップＳ１へ戻り、ＹＥＳと判別されるとステップＳ５１へ進んで動画撮影を終了させてステップＳ１へ戻る。
【００５３】
このように、ＵＳＢモバイル電源３２が接続されていても、動画撮影中にバッテリ３４の残量が減少し、電力が不足状態に陥る可能性がある時には動画撮影を終了させる。
【００５４】
以上説明したように、本実施例におけるデジタルムービーカメラ１は、ＵＳＢモバイル電源３２から供給される電力を用いて作動する。
【００５５】
ＵＳＢモバイル電源３２が接続された状態で、動画撮影操作が為された場合において、バッテリ３４の残量が不足していると、動画撮影を実行せず、バッテリ３４の残量不足のメッセージをＬＣＤ２０に表示する。従って、ＵＳＢモバイル電源３２が突然接続解除されたり、ＵＳＢモバイル電源３２からの電力供給が突然停止することによって、バッテリ３４のみからデジタルムービーカメラ１へ電力を供給する場合に、バッテリ３４の残量不足によりデジタルムービーカメラ１が作動できずに起こりうる動画撮影ファイルの消失を避けることが出来る。
【００５６】
また、バッテリ３４の充電量が十分になった時点で動画撮影の開始を受け付けるため、使用者はより安心して撮影することが出来る。
【００５７】
また、撮影中にバッテリ３４の残量が減少した場合、ＵＳＢモバイル電源３２から電力が供給されている状態であっても、動画撮影終了処理を行うことによって、ＵＳＢモバイル電源３２が突然接続解除されたり、ＵＳＢモバイル電源３２が突然停止することによって、バッテリ３４のみからデジタルムービーカメラ１へ電力を供給する場合に、バッテリ３４の残量不足によりデジタルムービーカメラ１が作動できずに起こりうる動画撮影ファイルの消失を避けること出来る。
【００５８】
なお、本実施例では、ＣＰＵ１６において上述した（４）の制御を行っているが、動画撮影中にバッテリ３４の残量が減少した場合、ＵＳＢモバイル電源３２が接続されていても動画撮影終了処理を行うのではなく、バッテリ３４の残量を使用者に示すような警告を行っても良い。
【００５９】
また、本実施例では、ステップＳ３９においてバッテリ３４の残量の不足を使用者に警告するために、ＬＣＤ２０などにメッセージや記号を表示する報知を行っているが、スピーカを設けて、音声で報知するようにしても良い。
【００６０】
また、本実施例では、デジタルカメラ１の図示しないフラッシュメモリに格納されたプログラムを実行することにより、上述した手続が実行されているが、外部からダウンロー
ドされたプログラムを実行することにより、上述した手続を実行しても良い。
【符号の説明】
【００６１】
１２      ・・・    レンズユニット
１４      ・・・    内部回路ユニット
１６      ・・・    ＣＰＵ
１８      ・・・    ＳＤＲＡＭ
２２      ・・・    操作部
２４      ・・・    メモリカードインタフェース
２６      ・・・    メモリカード
２８      ・・・    電源制御回路
３０      ・・・    ＵＳＢ端子
３２      ・・・    ＵＳＢモバイル電源
３４      ・・・    バッテリ
【図１】
2013135347.tif 000003
【図２】
2013135347.tif 000004
【図３】
2013135347.tif 000005
【図４】
2013135347.tif 000006